(57)【要約】【課題】ユーザが簡易な操作によって直感的にコンテンツの表示レイアウトを設定することが可能なリモートコントローラ、および、このリモートコントローラによって操作される映像表示装置、ならびに、このリモートコントローラと映像表示装置とを含んで構成される映像表示システムを提供する。【解決手段】リモートコントローラ２００のタッチパネル３１９上で、メニュー表示（コンテンツメニューアイコン）３６１から選択したコンテンツを一の領域表示表象（ターゲットマーク３５１〜３５５）にドラッグアンドドロップするレイアウト指定操作によって、直感的に映像表示装置（デジタル放送受信機１００）の表示画面（１６０）におけるコンテンツの表示レイアウトを設定することが可能になる。【選択図】図９
2008258894.tif 000002
【特許請求の範囲】
【請求項１】
所定の映像表示装置に対する遠隔操作を自己のタッチパネルに対する操作に応じて行うリモートコントローラであって、
前記映像表示装置の表示画面に設定される複数の表示領域に関する所定の表示レイアウトに対応して前記複数の各表示領域を象徴的に表す領域表示表象を前記タッチパネル上に表示するレイアウト表示手段と、
前記複数の表示領域に各表示するコンテンツの候補を代表的に表す各表示候補表象を所定の配列で前記タッチパネル上にメニュー表示する候補映像メニュー表示手段と、
前記タッチパネル上で選択された一の表示候補表象を選択された一の領域表示表象に対応付けるレイアウト指定操作に応じて前記選択された一の表示候補表象に対応するコンテンツを前記選択された一の領域表示表象に対応する表示領域に表示させる表示制御信号を生成する表示制御信号生成手段と、
前記表示制御信号生成手段によって生成された表示制御信号を前記映像表示装置に発する表示制御信号発信手段と、
を備えていることを特徴とするリモートコントローラ。
【請求項２】
所定の表示器の表示画面上に表示される複数の表示領域に関する表示レイアウトを設定するレイアウト設定手段と、
前記レイアウト設定手段によって設定された複数の表示領域に表示可能なコンテンツを選択的に供給可能なコンテンツソース手段と、
前記レイアウト設定手段によって設定される表示レイアウトに対応して前記複数の各表示領域を象徴的に表す領域表示表象を自己のタッチパネル上に表示すると共に前記複数の表示領域に表示するコンテンツの候補を代表的に表す表示候補表象を所定の配列で前記タッチパネル上にメニュー表示し、前記タッチパネル上で選択された一の表示候補表象を選択された一の領域表示表象に対応付けるレイアウト指定操作に応じて表示制御信号を発するリモートコントローラからの当該表示制御信号に応答して、前記選択された一の表示候補表象に対応するコンテンツを前記コンテンツソース手段から選択すると共に前記レイアウト設定手段により設定される表示レイアウトにおける前記選択された一の領域表示表象に対応する表示領域に表示させるように表示制御動作を行う表示レイアウト制御手段と、
を備えていることを特徴とする映像表示装置。
【請求項３】
前記表示制御信号生成手段は、前記タッチパネル上で選択された一の表示候補表象を選択された一の領域表示表象にドラッグアンドドロップする前記レイアウト指定操作に対応して前記選択された一の表示候補表象に対応するコンテンツを前記選択された一の領域表示表象に対応する表示領域に表示させることを特徴とする請求項１に記載のリモートコントローラ。
【請求項４】
前記候補映像メニュー表示手段は前記表示候補表象としてテレビジョン放送のチャンネル番号を前記タッチパネル上にメニュー表示することを特徴とする請求項１に記載のリモートコントローラ。
【請求項５】
前記候補映像メニュー表示手段は前記表示候補表象としてテレビジョン放送のチャンネル名を前記タッチパネル上にメニュー表示することを特徴とする請求項１に記載のリモートコントローラ。
【請求項６】
前記候補映像メニュー表示手段は前記表示候補表象としてテレビジョン放送の番組データを前記タッチパネル上にメニュー表示することを特徴とする請求項１に記載のリモートコントローラ。
【請求項７】
前記候補映像メニュー表示手段は前記表示候補表象としてコンテンツを代表的に表す代表画像を前記タッチパネル上にメニュー表示することを特徴とする請求項１に記載のリモートコントローラ。
【請求項８】
前記映像表示装置で表示可能なコンテンツに関して設定された表示に係る優先度の順位である表示優先順位を表す表示優先順位データと前記複数の表示領域に関する所定の格付けの等級を表す表示領域等級データとの両データを保持するプリセット表示位置データ保持手段を更に備え、
前記制御信号生成手段は、前記プリセット表示位置データ保持手段に保持された前記表示優先順位データと前記表示領域等級データとの対応関係とは矛盾するコンテンツと表示領域との対応関係が生じる際には、前記表示優先順位データと前記表示領域等級データとの対応関係に準拠したコンテンツと表示領域との対応関係を優先的に指定する表示制御信号を生成することを特徴とする請求項１に記載のリモートコントローラ。
【請求項９】
前記プリセット表示位置データ保持手段に保持された表示優先順位データは曜日および時刻の少なくとも一方に応じて表示優先順位が変更されることを特徴とする請求項８に記載のリモートコントローラ。
【請求項１０】
前記レイアウト指定操作の履歴を保持するレイアウト指定操作履歴保持手段を更に有し、
前記制御信号生成手段は、前記タッチパネル上で選択された前記表示候補表象に対応するコンテンツを前記レイアウト指定操作履歴保持手段に保持された前記履歴によって規定される前記表示領域に表示させる表示制御信号を生成することを特徴とする請求項１に記載のリモートコントローラ。
【請求項１１】
ユーザの履歴保持操作に応じた時点における前記履歴を前記レイアウト指定操作履歴保持手段に保持させる履歴保持操作手段を更に備えていることを特徴とする請求項１０に記載のリモートコントローラ。
【請求項１２】
前記履歴保持操作手段は、異なるユーザ毎に異なる前記履歴を各別に前記レイアウト指定操作履歴保持手段に保持させることが可能に構成されていることを特徴とする請求項１１に記載のリモートコントローラ。
【請求項１３】
請求項２に記載の映像表示装置と請求項１に記載のリモートコントローラとを含んで構成されていることを特徴とする映像表示システム。
【発明の詳細な説明】
【技術分野】
【０００１】
本発明は、マルチ画面表示機能を有する映像表示装置を用いる際に、コンテンツ毎の表示領域の割当て操作を行うリモートコントローラおよびこのリモートコントローラによって操作される映像表示装置ならびにこのリモートコントローラと映像表示装置とを含んで構成される映像表示システムに関する。
【背景技術】
【０００２】
近年、例えばデジタル放送受信機のような映像表示装置においては、マルチ画面表示機能を有する仕様のものが一般化している。
マルチ画面表示装置におけるリモコン制御方法に関して、画面の１つを選択して番組のチャンネルを切換えたり、その番組を録画予約したり、あるいは主画面と子画面を入れ換えたりするようなユーザアクションがある場合は、画面数が増えるに従ってリモコン操作が複雑になるという問題に対処しようとする提案もなされている。
【０００３】
このような提案の一つとして、画面の選択がなされていない状態のマルチ画面表示において、リモコンの多方向キーと画面全体の画面レイアウトの位置関係を見たままの同じ方向に１対１に対応させ、ユーザは選択した画面の方向位置の多方向ボタンを押すことで、直観的、かつ、直接的に画面選択ができるようにしようとするものがある。
この提案では更に、マルチ画面のレイアウトが変更されるたびに、リモコンキーの画面選択キーの割付を上記の単純なルールで変更することができるようにし、画面レイアウトが変更されてもリモコンの操作は多方向キー操作のみでできるようにするといったことも提起されている。
【０００４】
リモコン操作が複雑にならず、リモコンのボタン数も増えなくて済み、更には、表示画面とリモコン間の視線移動がなくなり、ユーザはスムーズな画面操作ができるようになるとされている（特許文献１参照）。
【特許文献１】特開２００６−２４６０１９号公報（段落００４８〜段落００５１、図９）
【発明の開示】
【発明が解決しようとする課題】
【０００５】
しかしながら、特許文献１所載の提案では、電源投入後先ずマルチ画面の初期画面レイアウトを行い、例えば、左に子画面を２面、右に主画面を１面配置したような画面レイアウトを初期画面としておき、次いで、８方向を選択できる多方向キーのような画面選択用のリモコンキーについて画面選択用の割り付けを行う。
従って、このような予備設定を行う煩雑さが払拭されず、また、要は、ユーザの意のままに選択したコンテンツをマルチ画面における所望の表示領域に表示させたいといった要請を簡便な操作で充足するといったことは難しい。
【０００６】
その一方では、テレビジョン受像機は大画面、高精細へと進化し、また放送のデジタル化やネットワークによる視聴など多様なデータソースから取得した情報をマルチ画面に代表されるような多様な表示態様で映出するといったことが一般化している。
このような趨勢にあって、一つの画面でより多くのコンテンツ（番組）を視聴したいといった要望が一層強まるものと推測される。このような場合、多くのコンテンツの中から各画面への表示の割当を簡易な操作によって行える技術が待たれるところとなる。
【０００７】
しかしながら、現状では、リモートコントローラの左右ボタンで画像のフォーカスを切り替え、ダイレクトチャンネルボタンまたは、チャンネルアップ／ダウンボタンで表示映像を切り替えるのが一般的である。また、３画面以上の画像指定となると、リモートコントローラの左右上下ボタンの用い方も煩雑になってしまうといった問題も惹起される。
本発明は、上述のような状況に鑑みてなされたものであり、ユーザが簡易な操作によって直感的にコンテンツの表示レイアウトを設定することが可能なリモートコントローラ、および、このリモートコントローラによって操作される映像表示装置、ならびに、このリモートコントローラと映像表示装置とを含んで構成される映像表示システムを提供することを目的とする。
【課題を解決するための手段】
【０００８】
上記課題を解決するべく、本願では次に列記するような技術を提案する。
（１）所定の映像表示装置に対する遠隔操作を自己のタッチパネルに対する操作に応じて行うリモートコントローラであって、
前記映像表示装置の表示画面に設定される複数の表示領域に関する所定の表示レイアウトに対応して前記複数の各表示領域を象徴的に表す領域表示表象を前記タッチパネル上に表示するレイアウト表示手段と、
前記複数の表示領域に各表示するコンテンツの候補を代表的に表す各表示候補表象を所定の配列で前記タッチパネル上にメニュー表示する候補映像メニュー表示手段と、
前記タッチパネル上で選択された一の表示候補表象を選択された一の領域表示表象に対応付けるレイアウト指定操作に応じて対応して前記選択された一の表示候補表象に対応するコンテンツを前記選択された一の領域表示表象に対応する表示領域に表示させる表示制御信号を生成する表示制御信号生成手段と、
前記表示制御信号生成手段によって生成された表示制御信号を前記映像表示装置に発する表示制御信号発信手段と、
を備えていることを特徴とするリモートコントローラ。
【０００９】
上記（１）のリモートコントローラでは、レイアウト表示手段によって、映像表示装置の表示画面に設定される複数の表示領域に関する所定の表示レイアウトに対応してこれら複数の各表示領域を象徴的に表す領域表示表象（例えばアイコンによる表示。以下同様）がタッチパネル上に表示され、また、候補映像メニュー表示手段によって、複数の表示領域に各表示するコンテンツの候補を代表的に表す各表示候補表象が所定の配列でタッチパネル上にメニュー表示される。
【００１０】
ユーザが例えば指やスタイラスペンによって、タッチパネル上で選択された一の表示候補表象を選択し、それを一の領域表示表象に対応付けるレイアウト指定操作を行うと、表示制御信号生成手段によって、該操作に対応して、タッチパネル上で選択された一の表示候補表象に対応するコンテンツを上記選択された一の領域表示表象に対応する表示領域に表示させる表示制御信号が生成され、この表示制御信号が表示制御信号発信手段によって映像表示装置に発せられる。
リモートコントローラのタッチパネル上で、メニュー表示から選択したコンテンツを一の領域表示表象に対応付けるといった簡易でわかり易いレイアウト指定操作によって、直感的に映像表示装置の表示画面におけるコンテンツの表示レイアウトを設定することが可能になる。
【００１１】
（２）所定の表示器の表示画面上に表示される複数の表示領域に関する表示レイアウトを設定するレイアウト設定手段と、
前記レイアウト設定手段によって設定された複数の表示領域に表示可能なコンテンツを選択的に供給可能なコンテンツソース手段と、
前記レイアウト設定手段によって設定される表示レイアウトに対応して前記複数の各表示領域を象徴的に表す領域表示表象を自己のタッチパネル上に表示すると共に前記複数の表示領域に表示するコンテンツの候補を代表的に表す表示候補表象を所定の配列で前記タッチパネル上にメニュー表示し、前記タッチパネル上で選択された一の表示候補表象を選択された一の領域表示表象に対応付けるレイアウト指定操作に応じて表示制御信号を発するリモートコントローラからの当該表示制御信号に応答して、前記選択された一の表示候補表象に対応するコンテンツを前記コンテンツソース手段から選択すると共に前記レイアウト設定手段により設定される表示レイアウトにおける前記選択された一の領域表示表象に対応する表示領域に表示させるように表示制御動作を行う表示レイアウト制御手段と、
を備えていることを特徴とする映像表示装置。
【００１２】
上記（２）の映像表示装置では、レイアウト設定手段によって表示器の表示画面上に表示される複数の表示領域に関する表示レイアウトが、例えば設計により予め仕様として組み込まれた複数通りのうちのものからユーザが任意に選択する等して設定される。
コンテンツソース手段が、レイアウト設定手段によって設定された複数の表示領域に表示可能なコンテンツを選択的に供給可能に設けられている。
【００１３】
表示レイアウト制御手段が、レイアウト設定手段によって設定される表示レイアウトに対応して複数の各表示領域を象徴的に表す領域表示表象を自己のタッチパネル上に表示すると共にこれら複数の表示領域に各表示するコンテンツの候補を代表的に表す各表示候補表象を所定の配列でタッチパネル上にメニュー表示し、タッチパネル上で選択された一の表示候補表象を選択された一の領域表示表象に対応付けるレイアウト指定操作に応じて表示制御信号を発するリモートコントローラからの当該表示制御信号に応答して、選択された一の表示候補表象に対応するコンテンツをコンテンツソース手段から選択すると共にレイアウト設定手段により設定される表示レイアウトにおける上記選択された一の領域表示表象に対応する表示領域に表示させるように表示制御動作を行う。
リモートコントローラのタッチパネル上で、メニュー表示から選択したコンテンツを一の領域表示表象に対応付けるといった直感的でわかり易いレイアウト指定操作に対応して、映像表示装置の表示画面におけるコンテンツの表示レイアウトが設定される。
【００１４】
（３）前記表示制御信号生成手段は、前記タッチパネル上で選択された一の表示候補表象を選択された一の領域表示表象にドラッグアンドドロップする前記レイアウト指定操作に対応して前記選択された一の表示候補表象に対応するコンテンツを前記選択された一の領域表示表象に対応する表示領域に表示させることを特徴とする（１）のリモートコントローラ。
【００１５】
上記（３）のリモートコントローラでは、（１）のリモートコントローラにおいて特に、前記タッチパネル上で選択された一の表示候補表象を選択された一の領域表示表象に対応付けるレイアウト指定操作として、タッチパネルに対する操作としては一般的な、メニュー表示から選択したアイコンを一の領域表示表象にドラッグアンドドロップするといった簡易でわかり易い操作によって、直感的に映像表示装置の表示画面におけるコンテンツの表示レイアウトを設定することが可能になる。
【００１６】
（４）前記候補映像メニュー表示手段は前記表示候補表象としてテレビジョン放送のチャンネル番号を前記タッチパネル上にメニュー表示することを特徴とする（１）のリモートコントローラ。
上記（４）のリモートコントローラでは、（１）のリモートコントローラにおいて特に、候補映像メニュー表示手段によって、テレビジョン放送のチャンネル番号が表示候補表象としてタッチパネル上にメニュー表示される。このため、例えばデジタルテレビにおける編成チャンネル等であるチャンネル番号がタッチパネル上で直接的に選択され得る。
【００１７】
（５）前記候補映像メニュー表示手段は前記表示候補表象としてテレビジョン放送のチャンネル名を前記タッチパネル上にメニュー表示することを特徴とする（１）のリモートコントローラ。
上記（５）のリモートコントローラでは、（１）のリモートコントローラにおいて特に、映像メニュー表示手段によって、テレビジョン放送のテレビジョン放送のチャンネル名が表示候補表象としてタッチパネル上にメニュー表示される。このため、テレビジョン放送のチャンネル名がタッチパネル上で直接的に選択され得る。
【００１８】
（６）前記候補映像メニュー表示手段は前記表示候補表象としてテレビジョン放送の番組データを前記タッチパネル上にメニュー表示することを特徴とする（１）のリモートコントローラ。
上記（６）のリモートコントローラでは、（１）のリモートコントローラにおいて特に、映像メニュー表示手段によって、テレビジョン放送の番組データが表示候補表象としてタッチパネル上にメニュー表示される。このため、タッチパネル上の番組データ表示に対して直接的に選択操作を行うことができる。
【００１９】
（７）前記候補映像メニュー表示手段は前記表示候補表象としてコンテンツを代表的に表す代表画像を前記タッチパネル上にメニュー表示することを特徴とする（１）のリモートコントローラ。
上記（７）のリモートコントローラでは、（１）のリモートコントローラにおいて特に、候補映像メニュー表示手段によって、コンテンツを代表的に表す代表画像が表示候補表象としてタッチパネル上にメニュー表示される。このため、タッチパネル上で所望のコンテンツの選択操作を直感的なタッチ操作で行うことができる。
【００２０】
（８）前記映像表示装置で表示可能なコンテンツに関して設定された表示に係る優先度の順位である表示優先順位を表す表示優先順位データと前記複数の表示領域に関する所定の格付けの等級を表す表示領域等級データとの両データを保持するプリセット表示位置データ保持手段を更に備え、
前記制御信号生成手段は、前記プリセット表示位置データ保持手段に保持された前記表示優先順位データと前記表示領域等級データとの対応関係とは矛盾するコンテンツと表示領域との対応関係が生じる際には、前記表示優先順位データと前記表示領域等級データとの対応関係に準拠したコンテンツと表示領域との対応関係を優先的に指定する表示制御信号を生成することを特徴とする（１）のリモートコントローラ。
【００２１】
上記（８）のリモートコントローラでは、（１）のリモートコントローラにおいて特に、プリセット表示位置データ保持手段に、映像表示装置で表示可能なコンテンツに関して設定された表示に係る優先度の順位である表示優先順位を表す表示優先順位データと前記複数の表示領域に関する所定の格付けの等級を表す表示領域等級データとの両データが保持されている。
【００２２】
制御信号生成手段は、たとえユーザがタッチパネル上で選択された一の表示候補表象を選択された一の領域表示表象にドラッグアンドドロップする操作によってプリセット表示位置データ保持手段に保持された表示優先順位データと表示領域等級データとの対応関係とは矛盾するコンテンツと表示領域との対応関係（例えば、プリセットから外れて、主要なコンテンツを画面隅にある小さな表示領域に割当てる等の対応関係）を指定する等の状況我が生じる際にも、プリセット表示位置データ保持手段に保持された上記両データに規定される対応関係に準拠したコンテンツと表示領域との対応関係を優先的に指定する表示制御信号を生成する。
これにより、ユーザが操作を誤った場合でも、所定の規約に準拠する適切な形でコンテンツに応じた表示レイアウトが設定される。
【００２３】
（９）前記プリセット表示位置データ保持手段に保持された表示優先順位データは曜日および時刻の少なくとも一方に応じて表示優先順位が変更されることを特徴とする（８）のリモートコントローラ。
上記（９）のリモートコントローラでは、（８）のリモートコントローラにおいて特に、放送され或いは配信されてくるコンテンツが曜日および時刻の少なくとも一方に応じて異なることに応じて表示優先順位が設定される形で表示優先順位データがプリセット表示位置データ保持手段に保持されるため、目下の時点で受信可能なコンテンツに適合した表示レイアウトが設定され得る。
【００２４】
（１０）前記レイアウト指定操作の履歴を保持するレイアウト指定操作履歴保持手段を更に有し、
前記制御信号生成手段は、前記タッチパネル上で選択された前記表示候補表象に対応するコンテンツを前記レイアウト指定操作履歴保持手段に保持された前記履歴によって規定される前記表示領域に表示させる表示制御信号を生成することを特徴とする（１）のリモートコントローラ。
【００２５】
上記（１０）のリモートコントローラでは、（１）のリモートコントローラにおいて特に、レイアウト指定操作履歴保持手段によってレイアウト指定操作の履歴が保持される。制御信号生成手段は、タッチパネル上で選択された表示候補表象に対応するコンテンツをレイアウト指定操作履歴保持手段に保持された上記履歴によって規定される表示領域に表示させる表示制御信号を生成する。
このため、コンテンツを選択すると、ユーザが所望する蓋然性の高い表示レイアウトが自動的に設定される。
【００２６】
（１１）ユーザの履歴保持操作に応じた時点における前記履歴を前記レイアウト指定操作履歴保持手段に保持させる履歴保持操作手段を更に備えていることを特徴とする（１０）のリモートコントローラ。
上記（１１）のリモートコントローラでは、（１０）のリモートコントローラにおいて特に、履歴保持操作手段に対してユーザが履歴保持操作を行った時点における表示レイアウトに関する履歴がレイアウト指定操作履歴保持手段保持される。
このため、ユーザの所望に応じて選択された表示レイアウトがレイアウト指定操作履歴保持手段に履歴として保持され、この履歴に依拠して自動的に設定される表示レイアウトはユーザの意識に良く合致したものとなる。
【００２７】
（１２）前記履歴保持操作手段は、異なるユーザ毎に異なる前記履歴を各別に前記レイアウト指定操作履歴保持手段に保持させることが可能に構成されていることを特徴とする（１１）のリモートコントローラ。
上記（１２）のリモートコントローラでは、（１１）のリモートコントローラにおいて特に、ユーザ毎に異なる表示レイアウトの履歴が各別にレイアウト指定操作履歴保持手段に履歴として保持され、この履歴に依拠して自動的に設定される表示レイアウトはユーザの意識に良く合致したものとなる。
【００２８】
（１３）上記（２）の映像表示装置と上記（１）のリモートコントローラとを含んで構成されていることを特徴とする映像表示システム。
上記（１３）の映像表示システムでは、リモートコントローラのタッチパネル上で、メニュー表示から選択したコンテンツを一の領域表示表象に対応付ける例えばドラッグアンドドロップするなどの直感的でわかり易いレイアウト指定操作に対応して、映像表示装置の表示画面におけるコンテンツの表示レイアウトが設定される。
【発明を実施するための最良の形態】
【００２９】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の一つの実施の形態としての映像表示システムを表す図である。
図１において、本発明の映像表示装置の一つの実施の形態としてのデジタル放送受信機１００とリモートコントローラ２００を含んで映像表示システム１０が構成されている。
【００３０】
周波数変換器を備えたアンテナ１１０で受信され周波数変換された放送波は第１チューナ部１２０に供給される。第１チューナ部１２０では、映像データと音声データとを含む高周波データ変調信号のうちから所望の特定周波数の信号を抽出し、復調処理、逆インターリーブ処理、誤り訂正処理等を行って上記抽出した信号を復調してトランスポートストリームを出力する。更に、第１チューナ部１２０は、誤り訂正処理の過程で得られる受信状態を表すエラーレートまたはＣ／Ｎ比のデータを生成する。
【００３１】
第１チューナ部１２０の出力であるトランスポートストリームは第１デスクランブル部１３０に供給される。第１デスクランブル部１３０は、適用されたＩＣカード１３１からＩＣカード読取り部１３２が読取った鍵情報を用いてトランスポートストリームのスクランブルを解除する。
第１デスクランブル部１３０は、更に、デマルチプレクス処理機能を備えており、デスクランブル処理されたトランスポートストリームを、ＭＰＥＧ２（Moving Picture Experts Group２）のビデオトランスポートパケット、オーディオトランスポートパケット、及びＰＳＩ／ＳＩ（Program Specific Information／Service Information）に分離する。
【００３２】
このように分離されたビデオトランスポートパケットとオーディオトランスポートパケットは第１ＡＶデコーダ部１４０に供給される。
このデジタル放送受信機１００の系全体を統括的に制御するべく、マイクロプロセッサを主体に構成されたシステムコントローラ１５０が設けられ、このシステムコントローラ１５０に、受信状態を表すエラーレートまたはＣ／Ｎ比のデータ、および、ＰＳＩ／ＳＩのデータも入力される。
【００３３】
システムコントローラ１５０は、後述するように、その各該当する自己の機能部および関連する他の機能部との共働によって本発明の枢要な構成要件としての各手段を構成するようになされている。
トランスポートストリームには複数のチャンネルが多重化されており、これらのうちから所望のチャンネルを選択することは、既述のＰＳＩ／ＳＩから当該所望のチャンネルがトランスポートストリーム中でどのパケットＩＤで多重化されているかといったデータを判読することによって達成される。
【００３４】
第１ＡＶデコーダ部１４０は、ビデオトランスポートパケットに対してデコードを行うビデオデコーダ、および、オーディオトランスポートパケットに対してデコードを行うオーディオデコーダを備えている。ビデオデコーダは、入力された可変長符号を復号して量子化係数や動きベクトルを求め、逆ＤＣＴ変換や動きベクトルに基づく動き補償制御などを行う。また、オーディオデコーダは、入力された符号化信号を復号して音声データを生成する。
【００３５】
第１ＡＶデコーダ部１４０の上述のビデオデコーダの出力は、第１解像度変換部１７０により必要に応じ解像度およびサイズ変換された後、加算器１４１を介して映像処理部１４２に供給され、一方、第１ＡＶデコーダ部１４０の上述のオーディオデコーダの出力である音声データは、音声選択器１７４を介して音声処理部１４３に供給される。
映像処理部１４２は、第１解像度変換部１７０から映像データを受け取ってＤ／Ａ変換を行い、例えばコンポジット映像信号に変換する。
【００３６】
一方、音声処理部１４３は、第１ＡＶデコーダ部１４０から音声選択器１７４を介して音声データを受け取ってＤ／Ａ変換を行い、例えば右（Ｒ）音のアナログ信号および左（Ｌ）音のアナログ信号を生成する。音声選択器１７４が音声処理部１４３へ供給する信号はシステムコントローラ１５０により制御される。
映像処理部１４２の出力は映像出力部１４４を介して表示器１６０に供給されて映像が画面に表示され、音声処理部１４３の出力は音声出力部１４５を介してスピーカ１６１に供給されて音声が出力される。
【００３７】
システムコントローラ１５０の制御下で作動するＯＳＤ部１５１が設けられ、システムコントローラ１５０から出力指示されたアイコン、メニュー、文字、および表示色等を表す映像パターンデータを生成して加算器１４１に供給する。
加算器１４１は映像パターンデータを第１ＡＶデコーダ部１４０から出力される受信映像データに組み込む処理を行う。
【００３８】
本実施の形態では、上述における、第１チューナ部１２０→第１スクランブル部１３０→第１デコーダ部１４０→第１解像度変換部１７０の第１の映像受信系統ＣＮ１と略相似な回路構成を以って第２の映像受信系統ＣＮ２が設けられている。
即ち、第２の映像受信系統ＣＮ２は、第２チューナ部１２０ａ→第２スクランブル部１３０ａ→第２デコーダ部１４０ａ→第２解像度変換部１７０ａを含んで構成され、第２解像度変換部１７０ａの出力が第１の映像受信系統ＣＮ１と共通の加算器１４１に供給される。
【００３９】
第１の映像受信系統ＣＮ１と第２の映像受信系統ＣＮ２との双方の系統を備えることによって、異なる番組を同時に表示器１６０の表示画面内にマルチ画面表示することが可能になる。その表示態様の設定は、本デジタル放送受信機１００に対し本発明のリモートコントローラ２００からレイアウト指定操作を行うことによって所定の範囲内でユーザの任意による操作に基づいて選択される。尚、後述する第３の映像受信系統ＣＮ３も同時にマルチ画面表示可能な映像の供給源である。
【００４０】
レイアウト指定操作の詳細については後述するが、システムコントローラ１５０の管理下で第１解像度変換部１７０および第２解像度変換部１７０ａにおける解像度が映像表示のレイアウトに応じて選択される。
尚、第１解像度変換部１７０および第２解像度変換部１７０ａでは、表示器１６０に表示するための映像とは別に、リモートコントローラ２００側のタッチパネル２５０上にサムネイル画像を表示するための比較的解像度の低い映像の信号が生成され、それぞれシステムコントローラ１５０に供給され、コンテンツ情報送信部１９０からリモートコントローラ２００側に送信され、リモートコントローラ２００でのサムネイル画像の表示に供される。
【００４１】
リモートコントローラ２００からの赤外光による操作指令信号（リモートコントロール信号）を受信するためのリモートコントロール信号受信部１５２が設けられ、その出力がリモートコントロール信号デコード部１５３でデコード処理されてシステムコントローラ１５０に供給されるように構成されている。
システムコントローラ１５０と種々のデータの授受を行い得るようにメモリ１５５が設けられ、更に、このデジタル放送受信機１００に対してリモートコントローラ２００を介さずに直接操作を行うための操作ボタンやその他の操作子を備えた操作部１５６がシステムコントローラ１５０に接続されている。
【００４２】
デジタル放送受信機１００はシステムコントローラ１５０を介して、ネットワークまたは専用バス１８５に接続され、更に専用バス１８５には録画機や再生機などの外部接続機器１８０も接続されている。
外部接続機器１８０からのＡＶ信号は専用バス１８５を経由してシステムコントローラ１５０に入力され、このシステムコントローラ１５０を通して、第３ＡＶデコーダ部１７３に供給される。第３ＡＶデコーダ部１７３はシステムコントローラ１５０を通して供給されたＡＶ信号を、映像信号および音声信号へと復号化する。
【００４３】
該復号化された映像信号は第３解像度変換部１７２により所要に応じて解像度およびサイズ変換された後、既述の映像加算器１４１へ供給される。上述の第３ＡＶデコーダ部１７３および第３解像度変換部１７２もシステムコントローラ１５０の管理下で作動するように構成されている。
上述の、システムコントローラ１５０→第３ＡＶデコーダ部１７３→第３解像度変換部１７２を含んで第３の映像受信系統ＣＮ３が構成されている。
【００４４】
一方、復号化された音声信号は既述の音声選択器１７４を介して音声処理部１４３に供給されて処理される。
音声処理部１４３は、第３ＡＶデコーダ部１７３から、音声選択器１７４を介して音声データを受け取ってＤ／Ａ変換を行い、例えば右（Ｒ）音のアナログ信号および左（Ｌ）音のアナログ信号を生成する。音声選択器１７４が音声処理部１４３へ供給する信号はシステムコントローラ１５０により切換え制御される。
【００４５】
図２は、図１のシステムにおけるリモートコントローラ２００の内部構成を示すブロック図である。リモートコントローラ２００は、その筐体２０１内に設けられマイクロプロセッサを主体に構成されたシステムコントローラ２１０によってその枢要な機能が実現される。
後にリモートコントローラ２００の外観図を参照して詳述する各操作ボタン（操作キー）やポインティングデバイスに対応する電子スイッチ部を含んで構成され、ユーザによる操作を感知して筐体２０１内のシステムコントローラ２１０に伝達する操作部２２０がシステムコントローラ２１０と結ばれている。
【００４６】
本例のリモートコントローラ２００における操作部２２０は、特に、アイコンや文字情報を表示しタッチ方式で操作が可能なタッチパネル２５０を含んで構成されている。
操作部２２０からの操作入力を受付け、該受付けた操作に対応した赤外光による操作指令信号（リモートコントロール信号）をデジタル放送受信機１００側のリモートコントロール信号受信部１５２に送信する信号送出部２３０もシステムコントローラ２１０からの指令に応答して動作する。
【００４７】
一方、メモリ２４０がシステムコントローラ２１０とデータの授受を行い得るように接続されているが、このメモリ２４０にはユーザ設定情報などが格納されている。
更に、外部からの信号を受信するための信号受信部２６０が設けられている。この信号受信部２６０は、デジタル放送受信機１００側の通信手段であるコンテンツ情報送信部１９０から発信されるコンテンツ情報を受信する。
【００４８】
該コンテンツ情報は、デジタル放送受信機１００がその表示器１６０に映出可能なコンテンツを（例えば縮小して）表す情報であって、例えば、動画のサムネイル画像の形態で表示に供されるものであり得るが、既述のバス１８５を通して取得可能なコンテンツもこのコンテンツ情報によって特定される。
従って、既述の外部接続機器１８０内の記録媒体に保存されているコンテンツもこのコンテンツ情報によって具体的に特定される。
【００４９】
リモートコントローラ２００側で信号受信部２６０によって受信した上述のようなコンテンツ情報もメモリ２４０に格納される。
システムコントローラ２１０は、その各該当する機能部および関連部位との共働によって、本発明の実施の形態としてのリモートコントローラ２００の枢要な構成要素をなすものである。
【００５０】
例えば、映像表示装置としてのデジタル放送受信機１００の表示器１６０の表示画面に設定される複数の表示領域に関する所定の表示レイアウトに対応して、これら複数の各表示領域を象徴的に表す例えばアイコンのようなパターンによる領域表示表象をタッチパネル２５０上に表示するレイアウト表示手段としての機能もシステムコントローラ２１０の該当する機能部によって賄われる。
操作部２２０への操作に応答してのリモートコントローラ２００の機能、リモートコントローラ２００からの操作指令信号に応答してのデジタル放送受信機１００側の表示器１６０における画面表示における表示レイアウトの選択については、以下に図面を参照しつつ詳述する。
【００５１】
図３は、図２のリモートコントローラの外観および機能を表す図である。図３（ａ）はリモートコントローラ２００の平面図、図３（ｂ）は図３（ａ）におけるタッチパネル上の表示例を表す図である。図３では、図２との対応部にも、適宜、改めて参照符号が割当てられている。
リモートコントローラ２００の筐体２０１の表面２０１ａ前端近傍には、図１のデジタル放送受信機１００の電源をコントロールする電源ボタン３１０、および、このリモートコントローラ２００に備えられたディスプレイとしてのタッチパネル３１９上にメニューを表示させるメニュー表示ボタン３１１が設けられている。
【００５２】
また、１〜１２の表記が操作面に施されたダイレクト選局ボタン３１２、デジタル放送受信機１００の表示器１６０に表示されるメニューを操作するための各一対の上下ボタン３１４および左右ボタン３１５、ボリュームのアップ／ダウンボタン３１７、チャンネルのアップ／ダウンボタン３１８がそれぞれ配されている。
複数（例えば３人）のユーザに各一対一に対応して使用される３つのユーザ切替えボタン３１３が設けられている。このユーザ切替えボタン３１３は、デジタル放送受信機１００をこのリモートコントローラ２００で遠隔操作するに際して、当該操作時点で操作の主体となるユーザの区分（ユーザ１、ユーザ２、ユーザ３）がそれへの操作によって識別されるように設けられている。
タッチパネル３１９は、液晶表示デバイスなどから構成される。尚、図３におけるリモートコントローラ２００に備えられた上述の操作ボタンの数やその配置は一つの例であってこの発明思想を限定するものではない。
【００５３】
図３（ｂ）におけるタッチパネル３１９上の表示例では、デジタル放送受信機１００の表示器１６０の表示画面をシンボリックに表す表象であるスクリーンアイコン３５０、表示器１６０に設定される複数の表示領域に関する所定の表示レイアウトに対応して複数の各表示領域を象徴的に表す領域表示表象（図示の例では、複数の表象の領域内に「ア」「イ」「ウ」「エ」と表記）であるターゲットマーク３５１〜３５５、放送ネットワーク（例えば地域毎に放送局から割り振られる伝送チャンネルの番号や、図１における第１の映像受信系統ＣＮ１と第２の映像受信系統ＣＮ２等であり、図示の例では「ＴＶ１」、「ＴＶ２」と表記）や外部接続機器（「外部」と表記）等のコンテンツソースを選択するための切替えスイッチとして機能するコンテンツソースアイコン３５６〜３５８、コンテンツソースアイコン３５６〜３５８に対する選択操作（タッチ操作）により選択されたコンテンツソースに包含されるコンテンツ群（例えばデジタル放送に関する放送チャンネルの番号である編成チャンネル番号等）であって複数の表示領域に各表示するコンテンツの候補を代表的に表す各表示候補表象（図示の例ではコンテンツメニューアイコン「ｃｈ１」「ｃｈ２」「ｃｈ３」「ｃｈ４」「ｃｈ５」）３６１、コンテンツ群を上下にスクロールするボタンとして機能する上下操作領域３５９および３６０（この上下操作領域３５９および３６０は既述の上下ボタン３１４に連動しても良い）が各表示される。
【００５４】
コンテンツソースとして「ＴＶ１」（３５６）を選択した場合、受信可能なチャンネル情報としての各表示候補表象（即ち、コンテンツメニューアイコン「ｃｈ１」「ｃｈ２」「ｃｈ３」「ｃｈ４」「ｃｈ５」）３６１がメニュー表示される。
リモートコントローラ２００のタッチパネル３１９上にメニュー表示される情報は、チャンネル番号、放送局名、放送局を示すマーク、ＥＰＧから読み取った現在放送中の番組情報、放送中の番組の代表画像などが考えられる。
【００５５】
このメニュー表示として何を表示させるかはデジタル放送受信機１００側で設定すればよい。例えば、外部接続機器１８０のコンテンツ情報については、コンテンツは通常の場合ＥＰＧデータなどのデータを活用してジャンル分けされており、番組ジャンルを含め録画日時などをデジタル放送受信機１００が専用バス１８５を通してネットワーク経由で読取り、デジタル放送受信機１００側の通信手段であるコンテンツ情報送信部１９０から発信されるコンテンツ情報をリモートコントローラ２００側の信号受信部２６０で受信するようにしてリモートコントローラ２００にコンテンツ情報が伝送されるようにすることが可能である。
【００５６】
タッチパネル３１９上で選択し一の表示候補表象３６１（「ｃｈ１」「ｃｈ２」「ｃｈ３」「ｃｈ４」「ｃｈ５」）を、選択した一の領域表示表象（ターゲットマーク３５１〜３５５）に、指またはスタイラスペンなどによってドラッグアンドドロップする操作に対応して、システムコントローラ２１０は選択された一の表示候補表象に対応するコンテンツを選択された一の領域表示表象に対応する表示領域（デジタル放送受信機１００の表示器１６０の表示画面上の一の領域）に表示させる表示制御信号を生成する。
上述のようにして生成された表示制御信号はシステムコントローラ２１０に接続された表示制御信号発信手段としての信号送出部２３０（図２）からデジタル放送受信機１００に送信される。
【００５７】
図４は、デジタル放送受信機１００の表示器１６０の表示画面における種々の表示モードでの表示領域のレイアウトを例示する図である。
図４(a)は全画面表示モード時、図４(b)は一つの中画面と該中画面よりも縦横のサイズが小さい一つの小画面とを横並びに配した異形２画面表示モード時、図４（ｃ)は一つの中画面と該中画面よりも縦横のサイズが小さい縦並びの二つの小画面とを横並びに配した異形３画面表示モード時、図４（ｄ)は同サイズで同形の二つの中画面を横並びに配した同形２画面表示モード時の各表示領域のレイアウトを表している。
【００５８】
デジタル放送受信機１００側の表示器１６０の表示画面における表示領域全体は、リモートコントローラ２００側において図３（ｂ）におけるタッチパネル３１９上のスクリーンアイコン３５０によってシンボリックに表わされている。
デジタル放送受信機１００側での図４(a)の全画面表示モード時の表示レイアウトは単一の表示領域「Ａ」が実質的に画面全体を占める形であり、リモートコントローラ２００側では図３（ｂ）におけるターゲットマーク３５２（領域表示表象「オ」）によってシンボリックに表わされている。
【００５９】
また、図４(b)の異形２画面表示モード時のレイアウトは左寄りの中画面の表示領域「Ｂ」と右寄りの小画面の表示領域「Ｃ」で構成され、これら表示領域「Ｂ」および「Ｃ」はリモートコントローラ２００側では図３（ｂ）におけるターゲットマーク３５１（領域表示表象「ア」）およびターゲットマーク３５５（領域表示表象「エ」）によってシンボリックに表わされている。
【００６０】
更に、図４（ｃ)の異形３画面表示モード時の表示レイアウトは左寄りの中画面の表示領域「Ｂ」と右寄りの小画面の、下側の表示領域「Ｃ」、同、上側の表示領域「Ｄ」で構成され、これら表示領域「Ｂ」「Ｃ」および「Ｄ」は、リモートコントローラ２００側では図３（ｂ）におけるターゲットマーク３５１（領域表示表象「ア」）およびターゲットマーク３５３（領域表示表象「イ」）ならびにターゲットマーク３５５（領域表示表象「エ」）によってシンボリックに表わされている。
【００６１】
更にまた、図４（ｄ) の同形２画面表示モード時の各表示レイアウトは左寄りの中画面の表示領域「Ｅ」と右寄りの中画面の表示領域「Ｆ」で構成され、これら表示領域「Ｅ」および「Ｆ」は、リモートコントローラ２００側では図３（ｂ）におけるターゲットマーク３５１（領域表示表象「ア」）とターゲットマーク３５４（領域表示表象「ウ」）によってシンボリックに表わされている。
【００６２】
図５は、タッチパネル３１９上でレイアウト指定操作を行う場合のリモートコントローラ２００の動作の一例を表すフローチャートである。
このフローチャートは、タッチパネル３１９におけるコンテンツメニューアイコン３６１から何れかのコンテンツを選択し（例えば、ユーザの指やスタイラスペン等でタッチし）、このコンテンツの表示を行う領域として、特に、ターゲットマーク３５１（領域表示表象「ア」）によって表される表示領域を当初に指定した場合の、該指定以降の動作である。
【００６３】
上述におけるコンテンツの選択とその表示領域の指定操作は、例えば、ユーザの指やスタイラスペン等でタッチして選択したコンテンツをターゲットマーク３５１（領域表示表象「ア」）へとドラッグアンドドロップする操作によって行われる。以下、このようなドラッグアンドドロップ操作を一例とするような表示レイアウトの指定のための操作をレイアウト指定操作と言う。
【００６４】
上述のような条件において、先ず、ターゲットマーク３５１（領域表示表象「ア」）がレイアウト指定操作で選択されたことを認識する（ステップＳ５０１）。
ステップＳ５０１の認識は、デジタル放送受信機１００の表示器１６０の表示画面上では、領域表示表象「ア」に相応する図４(ｂ)、図４(ｃ)における表示領域「Ｂ」または図４（ｄ) における表示領域「Ｅ」が指定されたことを意味している。
【００６５】
従って、ステップＳ５０１以降選択可能な表示領域は図４の「Ｃ」「Ｄ」「Ｆ」の何れかとなるため、これら表示領域「Ｃ」「Ｄ」「Ｆ」に相応するターゲットマーク３５３，３５４，３５５（領域表示表象「イ」「ウ」「エ」）の何れかへのレイアウト指定操作を促す（ステップＳ５０２）。
ステップＳ５０２における促し方はターゲットマーク３５３，３５４，３５５の点滅や色の変更などがその例である。
【００６６】
次いで、ターゲットマーク３５４（領域表示表象「ウ」）が指定されたか否かを判断する（ステップＳ５０３）。
ターゲットマーク３５４（領域表示表象「ウ」）が指定されたと判断された場合には（ステップＳ５０３：Ｙｅｓ）、図４（ｄ）の同形２画面表示モードの表示レイアウトを設定する（ステップＳ５０４）。
【００６７】
ステップＳ５０３で「ウ」以外が選択されたと判断された場合には（ステップＳ５０３：Ｎｏ）、ターゲットマーク３５３または３５５（領域表示表象「イ」または「エ」）の何れが選択されたかを判断する（ステップＳ５０５）。
ステップＳ５０５でターゲットマーク３５５（領域表示表象「エ」）が選択されたと判断された場合には（ステップＳ５０５：「エ」を選択）、図４（ｂ）の異形２画面表示モードのレイアウト、または、図４(c)の異形３画面表示モードの表示レイアウト何れかが選択可能な状態となる。
【００６８】
ステップＳ５０６でターゲットマーク３５３（領域表示表象「イ」）へのレイアウト指定操作を促す。
次いで、ステップＳ５０７で、リモートコントローラ２００の決定ボタン３１６が押されたか或いはターゲットマーク３５３（領域表示表象「イ」）へのレイアウト指定操作が行われたかを判断する。
【００６９】
ステップＳ５０７で決定ボタン３１６が押されたと判断された場合には（ステップＳ５０７：決定）、図４（ｂ）の異形２画面表示モードの表示レイアウトを設定する（ステップＳ５０８）。
一方、ステップＳ５０５でターゲットマーク３５３（領域表示表象「イ」）が選択されたと判断された場合には（ステップＳ５０５：「イ」を選択）、ユーザは図４（ｃ)の異形３画面表示モード時の表示レイアウトを希望していることが推定される。
【００７０】
このため、ステップＳ５０９でターゲットマーク３５５（領域表示表象「エ」）へのレイアウト指定操作を促し、「エ」のターゲットマーク３５５にレイアウト指定操作が行われると（ステップＳ５１０：Ｙｅｓ）、図４（ｃ)の異形３画面表示モード時の表示レイアウトを設定する（ステップＳ５１１）。
また、ステップＳ５０７で決定ボタン３１６は押されず、ターゲットマーク３５３（領域表示表象「イ」）が選択されたと判断された場合にも（ステップＳ５０７：「イ」を選択）、図４（ｃ)の異形３画面表示モード時の表示レイアウトを設定する（ステップＳ５１１）。
【００７１】
図６は、タッチパネル３１９上でレイアウト指定操作を行う場合のリモートコントローラ２００の動作の他の例を表すフローチャートである。
このフローチャートは、タッチパネル３１９におけるコンテンツメニューアイコン３６１から特定のコンテンツを選択し（例えば、ユーザの指やスタイラスペン等でタッチし）、このコンテンツの表示を行う領域として、特に、ターゲットマーク３５３（領域表示表象「イ」）によって表される表示領域を最初に指定した場合の、該指定以降の動作である。
【００７２】
既述のように、ターゲットマーク３５３（領域表示表象「イ」）は、映像表示装置としてのデジタル放送受信機１００の表示器１６０の画面上では、図４（ｃ）の「Ｄ」の表示位置（表示領域）に相当する。
従って、この表示領域「Ｄ」が指定された場合には、これ以降に選択可能な表示位置は、図４（ｃ）の「Ｂ」と「Ｃ」の双方となる。
【００７３】
ステップＳ６０１でターゲットマーク３５３（領域表示表象「イ」）にレイアウト指定操作されたと認識した後、ステップＳ６０２でターゲットマーク３５１，３５５（領域表示表象「ア」「エ」）のいずれかへのコンテンツ指定操作を促す（ステップＳ６０２）。
促し方はターゲットマーク３５１、３５５（領域表示表象「ア」「エ」）の点滅や色の変更などがその一例である。
次いで、ターゲットマーク３５１，３５５（領域表示表象「ア」「エ」）のどちらを選択したのかを判断する（ステップＳ６０３）。
【００７４】
ステップＳ６０３でターゲットマーク３５１（領域表示表象「ア」）が選択されたと判断された場合は（ステップＳ６０３：「ア」）、次いで、ターゲットマーク３５５（領域表示表象「エ」）へのレイアウト指定操作を促す（ステップＳ６０４）。
ステップＳ６０４で促された通りにレイアウト指定操作が実行されるのを待ち（ステップＳ６０５）、その実行が確認されたときには（ステップＳ６０５：Ｙｅｓ）、図４（ｃ）の表示レイアウトを設定する（ステップＳ６０６）。
【００７５】
一方、ステップＳ６０３でターゲットマーク３５５（領域表示表象「エ」）が選択されたと判断された場合は（ステップＳ６０３：「エ」）、次いで、ターゲットマーク３５１（領域表示表象「ア」）へのレイアウト指定操作を促す（ステップＳ６０７）。
ステップＳ６０７で促された通りにレイアウト指定操作が実行されるのを待ち（ステップＳ６０８）、その実行が確認されたときには（ステップＳ６０８：Ｙｅｓ）、図４（ｃ）の表示レイアウトを設定する（ステップＳ６０６）。
【００７６】
図７は、タッチパネル３１９上でレイアウト指定操作を行う場合のリモートコントローラ２００の動作の更に他の例を表すフローチャートである。
このフローチャートは、タッチパネル３１９におけるメニューアイコン３６１から特定のコンテンツを選択し（例えば、ユーザの指やスタイラスペン等でタッチし）、このコンテンツの表示を行う領域として、特に、ターゲットマーク３５４（領域表示表象「ウ」）によって表される表示領域を最初に指定した場合の、該指定以降の動作である。
既述のように、ターゲットマーク３５４（領域表示表象「ウ」）は、映像表示装置としてのデジタル放送受信機１００の表示器１６０の画面上では、は図４（ｄ）の「Ｆ」の表示位置（表示領域）に相当する。
【００７７】
従って、この表示領域「Ｆ」が指定された場合には、これ以降に選択可能な表示位置は図４（ｄ）の表示領域「Ｅ」のみとなる。
ステップＳ７０１でターゲットマーク３５４（領域表示表象「ウ」）にレイアウト指定操作されたと認識した後、ステップＳ７０２で「ア」へのコンテンツ指定を促す。促し方はターゲットマーク３５１の点滅や色の変更などがその一例である。
ステップＳ７０２で促された通りにレイアウト指定操作が実行されるのを待ち（ステップＳ７０２）、その実行が確認されたときには（ステップＳ７０３：Ｙｅｓ）、図４（ｄ）の表示レイアウトを設定する（ステップＳ７０４）。
【００７８】
図８は、タッチパネル３１９上でレイアウト指定操作を行う場合のリモートコントローラ２００の動作の更に他の例を表すフローチャートである。
このフローチャートは、タッチパネル３１９におけるコンテンツメニューアイコン３６１から何れかのコンテンツを選択し、このコンテンツの表示を行う領域として、特に、ターゲットマーク３５５（領域表示表象「エ」）によって表される表示領域を最初に指定した場合の、該指定以降の動作である。
上述のような条件において、先ず、ターゲットマーク３５５（領域表示表象「エ」）がレイアウト指定操作で選択されたことが認識される（ステップＳ８０１）。
【００７９】
ステップＳ８０１の認識は、デジタル放送受信機１００の表示器１６０の表示画面上では、領域表示表象「エ」に相応する図４(ｂ)、図４(c)における表示領域「Ｃ」が指定されたことを意味している。
従って、ステップＳ８０１以降選択可能な表示領域は図４の「Ｂ」「Ｄ」の何れかとなるため、これら表示領域「Ｂ」「Ｄ」に相応するターゲットマーク３５１，３５３（領域表示表象「ア」「イ」）の何れかへのレイアウト指定操作を促す（ステップＳ８０２）。
【００８０】
ステップＳ８０２における促し方はターゲットマーク３５１、３５３の点滅や色の変更などがその一例である。
ステップＳ８０３でターゲットマーク３５１、３５３（領域表示表象「ア」または「イ」）どちらを選択したのかを判断する。
でターゲットマーク３５１（領域表示表象「ア」）を選択されたと判断された場合は（ステップＳ８０３：「ア」）、図４（ｂ）の異形２画面表示モード、または図４（ｃ）の異形３画面表示モードの何れかの表示レイアウトが指定されようとしていることが推定される状態にあることを意味している。
【００８１】
続くステップＳ８０４でターゲットマーク３５３（領域表示表象「イ」）へのレイアウト指定操作を促す。ステップＳ８０４における促し方はステップＳ８０２と同様である。
次いで、ターゲットマーク３５３（領域表示表象「イ」）へのレイアウト指定操作がされたか或いはリモートコントローラ２００の決定ボタン３１６が押されたかを判断する（ステップＳ８０５）。
【００８２】
ステップＳ８０５でリモートコントローラ２００の決定ボタン３１６が押されたと判断された場合には（ステップＳ８０５：決定）、図４（ｂ）の表示レイアウトを設定する（ステップＳ８０６）。
一方、ステップＳ８０３でターゲットマーク３５３（領域表示表象「イ」）へのレイアウト指定操作がされたと判断された場合は（ステップＳ８０３：「イ」）、ユーザは図４（ｃ）の異形３画面表示モードの表示レイアウトを希望しているものと推定される状態である。
【００８３】
ステップＳ８０３に次いで、ステップＳ８０７でターゲットマーク３５１（領域表示表象「ア」）へのレイアウト指定操作を促し、促されたとおりのレイアウト指定操作が行われたことが確認されると（ステップＳ８０８）、図４（ｃ）の表示レイアウトを設定する（ステップＳ８０９）。
他方、ステップＳ８０５でターゲットマーク３５３（領域表示表象「イ」）へのレイアウト指定操作がされた場合にも図４（ｃ）の表示レイアウトを設定する（ステップＳ９０９）。
【００８４】
以上、図５〜図８を参照して説明した動作に係るユーザ側の操作として、既述のように、リモートコントローラ２００のタッチパネル３１９（図２では２５０）に対するドラッグアンドドロップ操作によってこれを行うようにリモートコントローラ２００を構成することは推奨される。
図９は、リモートコントローラ２００のタッチパネル３１９上で、選択したコンテンツを表す一の表示候補表象を、選択した一の領域表示表象に対応付けるレイアウト指定操作の様子を表す図である。
【００８５】
図９において、既述の図３（ｂ）との対応部は同一の参照符号を附して示してある。図９は、コンテンツソースとして「ＴＶ１」（コンテンツソースアイコン３５６）を選択した場合の表示状況を表しており、受信可能なチャンネル情報としての各表示候補表象（即ち、コンテンツメニューアイコン「ｃｈ１」「ｃｈ２」「ｃｈ３」「ｃｈ４」「ｃｈ５」）がメニュー表示されている。この状態で、ユーザが指またはスタイラスペン９００等によって、例えば、矢線によって表されたように表示候補表象であるコンテンツメニューアイコンの「ｃｈ１」をターゲットマーク３５１（領域表示表象「ア」）へとドラッグアンドドロップするといったレイアウト指定操作が行われると、デジタル放送受信機１００における上述の第１チューナ部１２０の系統による第１チャンネルのコンテンツが領域表示表象「ア」に対応するデジタル放送受信機１００の表示器１６０上の領域である図４（ｂ）、図４（ｃ）、または、図４（ｄ）の「Ｂ」または「Ｅ」に表示させるための表示制御信号が表示制御信号生成手段としてのシステムコントローラ２１０（図２）によって生成され、表示制御信号発信手段としての信号送出部２３０からデジタル放送受信機１００に送信される。
【００８６】
以上のとおり、本発明の実施の形態としてのリモートコントローラ２００では、レイアウト表示手段（システムコントローラ２１０、タッチパネル３１９）によって、映像表示装置（デジタル放送受信機１００）の表示画面（表示器１６０の表示画面）に設定される複数の表示領域（「Ａ」「Ｂ」「Ｃ」「Ｄ」「Ｅ」「Ｆ」）に関する所定の表示レイアウト（図４）に対応してこれら複数の各表示領域を象徴的に表す領域表示表象（ターゲットマーク３５１〜３５５（領域表示表象「ア」「イ」「ウ」「エ」「オ」））がタッチパネル３１９上に表示され、また、候補映像メニュー表示手段（システムコントローラ２１０、タッチパネル３１９）によって、複数の表示領域に各表示するコンテンツの候補を代表的に表す各表示候補表象（図示の例ではコンテンツメニューアイコン「ｃｈ１」「ｃｈ２」「ｃｈ３」「ｃｈ４」「ｃｈ５」）３６１が所定の配列でタッチパネル３１９上にメニュー表示される。
【００８７】
このため、ユーザが例えば指やスタイラスペン９００によって、タッチパネル３１９上で選択された一の表示候補表象（例えば「ｃｈ１」）を選択し、それを一の領域表示表象（例えば「ア」）に対応付けるレイアウト指定操作（ドラッグアンドドロップ）を行うと、表示制御信号生成手段（システムコントローラ２１０）によって、該操作に対応して、タッチパネル３１９上で選択された一の表示候補表象（「ｃｈ１」）に対応するコンテンツを上記選択された一の領域表示表象（「ア」）に対応する表示領域（図４の「Ｂ」または「Ｅ」）に表示させる表示制御信号が生成され、この表示制御信号が表示制御信号発信手段（信号送出部２３０）によって映像表示装置（デジタル放送受信機１００）に発せられる。
【００８８】
リモートコントローラ２００のタッチパネル３１９上で、メニュー表示から選択したコンテンツを一の領域表示表象に対応付けるといった簡易でわかり易いレイアウト指定操作によって、直感的に映像表示装置の表示画面におけるコンテンツの表示レイアウトを設定することが可能になる。
一方、映像表示装置としての図１のデジタル放送受信機１００側では、レイアウト設定手段として機能するシステムコントローラ１５０および映像処理部ならびにＯＳＤ部１５１によって表示器１６０の表示画面上に表示される複数の表示領域に関する表示レイアウトが、例えば設計により予め仕様として組み込まれメモリ１５５に格納されて準備された複数通りのうちのものからユーザが任意に選択する等して設定される。
【００８９】
コンテンツソース手段を構成する第１の映像受信系統ＣＮ１、第２の映像受信系統ＣＮ２、および、第３の映像受信系統ＣＮ３が、レイアウト設定手段として機能するシステムコントローラ１５０および映像処理部１４２によって設定された複数の表示領域（図４）に表示可能なコンテンツを選択的に供給可能に設けられている。
表示レイアウト制御手段として機能するシステムコントローラ１５０が、上述のようにしてリモートコントローラ２００側から発せられる当該表示制御信号に応答して、選択された一の表示候補表象に対応するコンテンツをコンテンツソース手段から選択すると共にレイアウト設定手段により設定される表示レイアウトにおける上記選択された一の領域表示表象に対応する表示領域に表示させるように表示制御動作を行う。
【００９０】
リモートコントローラ２００のタッチパネル３１９上で、メニュー表示から選択したコンテンツを一の領域表示表象に対応付けるといった直感的でわかり易いレイアウト指定操作に対応して、映像表示装置（デジタル放送受信機１００）の表示画面におけるコンテンツの表示レイアウトが設定される。
図３および図９に表されたタッチパネル３１９上に、表示候補表象としてテレビジョン放送のチャンネル名を表示するように上述の候補映像メニュー表示手段（システムコントローラ２１０、タッチパネル３１９）を構成することもできる。
【００９１】
この場合は、テレビジョン放送のチャンネル名がタッチパネル上で直接的に選択され得る。
また、タッチパネル３１９上に、表示候補表象として、テレビジョン放送の番組データを表示するように上述の候補映像メニュー表示手段（システムコントローラ２１０、タッチパネル３１９）を構成することもできる。
【００９２】
この場合は、タッチパネル３１９上の番組データ表示に対して直接的に選択操作を行うことができる。
更にまた、タッチパネル３１９上に、表示候補表象としてコンテンツを代表的に表す代表画像を前記タッチパネル上にメニュー表示するように上述の候補映像メニュー表示手段（システムコントローラ２１０、タッチパネル３１９）を構成することもできる。
【００９３】
この場合の代表画像は、デジタル放送受信機１００のコンテンツ情報送信部１９０から送信され、リモートコントローラ２００の信号受信部によって受信されるコンテンツ情報によって表されるものであり、デジタル放送受信機１００がその表示器１６０に映出可能なコンテンツを（例えば縮小して）表す情報であって、例えば、動画のサムネイル画像の形態をとる。
このような形態の候補映像メニュー表示手段によって、コンテンツを代表的に表す代表画像が表示候補表象としてタッチパネル３１９上にメニュー表示される。このため、タッチパネル３１９上で所望のコンテンツの選択操作を直感的なタッチ操作で行うことができる。
【００９４】
図１０は、本発明の他の実施の形態について説明するための図である。図１０（ａ）は既述の図４（ｂ）の表示レイアウトが選択されると共に、映像表示装置で表示可能なコンテンツに関して設定された表示に係る優先度の順位である表示優先順位が相対的に高いものとして設定された第１チャンネルのドラマを、複数の表示領域（図４（ｂ）の表示レイアウトでは「Ｂ」「Ｃ」）に関する所定の格付けの等級では相対的に高い等級の表示領域「Ｂ」に表示し、表示優先順位が相対的に低いものとして設定された第２チャンネルの天気予報を、相対的に低い等級の表示領域「Ｃ」に表示するときの様子を表している。
図１０（ａ）の表示レイアウトにおけるコンテンツとその表示領域との対応関係は後述するような既定の（既登録の）ルールに合致するものであると仮定して説明する。
【００９５】
例えば、時間の経過によって、図１０（ｂ）のように、第１チャンネルでは天気予報が放送され第２チャンネルでドラマが放送されるようになった際には、既定のルールに合致するように、図１０（ｃ）のように、表示優先順位が相対的に高い第２チャンネルのドラマを相対的に高い等級の表示領域「Ｂ」に表示し、表示優先順位が相対的に低い第１チャンネルの天気予報を、相対的に低い等級の表示領域「Ｃ」に表示するように、優先的にコンテンツと表示領域との対応関係を指定する表示制御信号が発せられて、図１０（ｃ）のような表示レイアウトに自動的に移行するようになる。
このような既登録の表示レイアウトの優先的な指定（強制的な修正）は、ユーザが錯誤によって既定のルールに沿わないようなレイアウト指定操作を行った場合にも自動的に発動するように構成されている。
【００９６】
以下に、この点について更に詳述する。即ち、この実施の形態では、リモートコントローラ２００（図２）のシステムコントローラ２１０とメモリ２４０との共働によってプリセット表示位置データ保持手段が構成され、このプリセット表示位置データ保持手段に映像表示装置（デジタル放送受信機１００）側で表示可能なコンテンツに関して設定された表示に係る優先度の順位である表示優先順位を表す表示優先順位データと既述の複数の表示領域に関する所定の格付けの等級（例えば、相対的に表示の大きさが大きく視認性に優れる程高い格付けとなるような等級）を表す表示領域等級データとの両データが保持されている。
【００９７】
システムコントローラ２１０の制御信号生成手段としての機能部は、たとえユーザがタッチパネル上でレイアウト指定操作によってプリセット表示位置データ保持手段に保持された表示優先順位データと表示領域等級データとの対応関係とは矛盾するコンテンツと表示領域との対応関係（例えば、プリセットから外れて、主要なコンテンツを画面隅にある小さな表示領域に割当てる等の対応関係）を指定する等の状況が生じる際にも、プリセット表示位置データ保持手段に保持された上記両データに規定される対応関係に準拠したコンテンツと表示領域との対応関係を優先的に指定する表示制御信号を生成する。
これにより、ユーザが操作を誤った場合でも、所定の規約に準拠する適切な形でコンテンツに応じた表示レイアウトが設定される。
【００９８】
尚、上述における表示優先順位は、個々のコンテンツについて既定される場合の他、コンテンツの属するジャンルについて設定される場合もある。後者の場合、ＥＰＧデータに基づいて識別されるジャンルに応じて該当する表示優先順位が設定されるため、例えば、図１０（ｂ）の表示が行われようとするに際して、既登録の表示レイアウトの優先的な指定によって図１０（ｃ）の表示レイアウトへの修正が実行される。
また、放送され或いは配信されてくるコンテンツが曜日および時刻の少なくとも一方に応じて異なることに応じて表示優先順位が設定される形で表示優先順位データがプリセット表示位置データ保持手段に保持されるようにすれば、目下の時点で受信可能なコンテンツに適合した表示レイアウトが設定され得る。
【００９９】
図１１は、図１０を参照して説明した機能に係る処理をより一般化したフローチャートである。リモートコントローラ２００のタッチパネル３１９上に表示されたターゲットマーク３５１および３５５（領域表示表象「ア」、「エ」）に対応する映像表示装置（デジタル放送受信機１００）側での画面表示に図４（ｂ）の表示レイアウトで第１チャンネルの「ドラマ」が表示領域「Ｂ」に、且つ、第２チャンネルの「天気予報」が表示領域「Ｃ」にと、既定のルールに沿って（即ち、プリセット表示位置データ保持手段に保持された表示優先順位データと表示領域等級データとの対応関係を充足するような関係で）レイアウト指定されている状態では、その状態が維持されており（ステップＳ１１０１）、以下の動作は、当初はこのステップＳ１１０１の状態が確立していることを前提にしている。
【０１００】
ステップＳ１１０１で表示対象として選定されているコンテンツとは異なるコンテンツが新たに表示対象として選定されたか否かを監視し（ステップＳ１１０２）、新たなコンテンツに変更されたと判断されたときには（ステップＳ１１０２：Ｙｅｓ）、次いで、変更されたコンテンツが、現状での表示レイアウトでは上述の既定のルールに適合しているか否かが判断される（ステップＳ１１０３）。
【０１０１】
ステップＳ１１０３で、変更されたコンテンツが現状での表示レイアウトのままで既定のルールに適合していると判断された場合には（ステップＳ１１０３：Ｙｅｓ）、ステップＳ１１０２に戻って次のコンテンツ変更を監視する。
一方、ステップＳ１１０３で、変更されたコンテンツが現状での表示レイアウトのままでは既定のルールに適合しないと判断されたときには（ステップＳ１１０３：Ｎｏ）、既定のルールを優先して、該ルールに適合する表示レイアウトに再配置する（ステップＳ１１０４）。
【０１０２】
図１２は、本発明の他の実施の形態について説明するための図である。図１２（ａ）は既述の図４（ｂ）の表示レイアウトが選択されて第１チャンネルの「ドラマ」を図４（ｂ）の表示レイアウトの表示領域「Ｂ」に表示し、表示優先順位が相対的に低いものとして設定された第２チャンネルの「スポーツ」（例えば野球）を、相対的に低い等級の表示領域「Ｃ」に表示したときの様子を表している。
【０１０３】
図１２（ａ）の表示レイアウトにおけるコンテンツとその表示領域との対応関係は、少なくとも一旦はこの状態が維持される。
また、この場合、表示優先順位データは各個のコンテンツ毎に設定されるのではなく、「ドラマ」「スポーツ」といったカテゴリに依拠して設定されているものとする。従って図１２（ａ）の状態が維持されるということは「ドラマ」は「スポーツ」よりも表示優先順位が高いものとして表示優先順位データが登録されていることを意味している。
【０１０４】
プリセット表示位置データ保持手段に保持される表示優先順位データと表示領域等級データとの対応関係は、本発明の一つの実施例においては、レイアウト指定操作の履歴を保持するレイアウト指定操作履歴保持手段（図２のシステムコントローラ２１０およびメモリ２４０）によって取得され保持されるレイアウト指定操作の履歴に基づいて設定され得る。
【０１０５】
上述におけるレイアウト指定操作履歴の保持は、図３（ａ）のリモートコントローラ２００における記憶ボタン３２０を押圧操作したタイミングで、その時点でのコンテンツの種別（個々のコンテンツの特定または該当するカテゴリ）を表すデータと当該コンテンツに割り当てられた表示領域を表すデータとが両データの対応関係が維持された状態で図２のシステムコントローラ２１０およびメモリ２４０の共働によってメモリ２４０に格納されることによって実行される。
【０１０６】
このとき、記憶ボタン３２０の押圧操作と共に記憶ボタン３２０を操作したユーザの区分を表すユーザボタン（図３（ａ）のリモートコントローラ２００におけるユーザ切替えボタン）３１３のうちの一のもの（例えば「ユーザ１」）を押圧操作することにより、レイアウト指定操作履歴の保持はユーザ切替えボタン３１３によって識別されるユーザの区分を伴なって実行される。
【０１０７】
以上のようにして図１２（ａ）のコンテンツとレイアウト指定操作履歴、および、ユーザの区分に関するデータが保存された状態で、後の時点で、図１２（ｂ）に表されたように第１チャンネルの「スポーツ」を、図４（ｂ）の表示レイアウト上では「Ｂ」の表示領域に、且つ、第２チャンネルの「ドラマ」を図４（ｂ）の表示レイアウト上では「Ｃ」の表示領域に表示する表示レイアウトとなるように、レイアウト指定操作が行われ、乃至は、時間の推移に伴なって第１チャンネルおよび第２チャンネルでの放送によるコンテンツが変化したとする。
【０１０８】
この図１２（ｂ）の状態に到ったときに、ユーザがリモートコントローラ２００のユーザ切替えボタン３１３のうちの「ユーザ１」および再レイアウトボタン３２１を押圧操作すると、メモリ２４０に格納されていた図１２（ａ）のコンテンツとレイアウト指定操作履歴に係るデータがシステムコントローラ２１０によって読み出され、該読み出されたデータに対応する表示制御信号が表示制御信号発信手段（信号送出部２３０）によって映像表示装置（デジタル放送受信機１００）に発せられる。
以上の結果、一旦は図１２（ｂ）の状態で表示されようとしていた映像は、再レイアウトボタン３２１を押圧操作して以降、図１２（ｃ）に表されたように、上述のレイアウト指定操作履歴に係るデータに整合する、「ドラマ」が「Ｂ」の表示領域に、且つ、「スポーツ」が「Ｃ」の表示領域に表示されるような表示レイアウトに切換えられる。
【０１０９】
図１３は、図１２を参照して説明した機能に係る処理をより一般化したフローチャートである。リモートコントローラ２００のタッチパネル３１９上に表示されたターゲットマーク３５１および３５５（領域表示表象「ア」、「エ」）に対応する映像表示装置（デジタル放送受信機１００）側での画面表示に図４（ｂ）の表示レイアウトで第１チャンネルの「ドラマ」が表示領域「Ｂ」に、且つ、第２チャンネルの「スポーツ」が表示領域「Ｃ」にと表示されるようにレイアウト指定操作され、その状態が維持されている（ステップＳ１３０１）。
【０１１０】
ステップＳ１３０１以降、記憶ボタン３２０の押圧操作（ステップＳ１３０２）およびユーザ切替えボタン３１３の操作を待機する（ステップＳ１３０３）。
記憶ボタン３２０の押圧操作があり（ステップＳ１３０２：Ｙｅｓ）およびユーザ切替えボタン３１３の操作が識別されると（ステップＳ１３０３：Ｙｅｓ→「ユーザ１」、「ユーザ２」、または「ユーザ３」？）、識別されたユーザの区分と共に図１２（ａ）のコンテンツとレイアウト指定操作履歴をメモリ２４０に保存する（ステップＳ１３０４）。
【０１１１】
ステップＳ１３０４で保存されたコンテンツとは異なるコンテンツが新たに表示対象となったか否かを監視し（ステップＳ１３０５）、新たなコンテンツに変更されたと判断されたときには（ステップＳ１３０５：Ｙｅｓ）、次いで、再レイアウトボタン３２１の押圧操作（ステップＳ１３０６）およびユーザ切替えボタン３１３の操作を待機する（ステップＳ１３０７）。
【０１１２】
再レイアウトボタン３２１の押圧操作があり（ステップＳ１３０６：Ｙｅｓ）およびユーザ切替えボタン３１３の操作が識別されると（ステップＳ１３０７：Ｙｅｓ→「ユーザ１」、「ユーザ２」、または「ユーザ３」？）、識別されたユーザの区分に関してステップＳ１３０４で保存されたコンテンツとレイアウト指定操作履歴をメモリ２４０から読み出す（ステップＳ１３０８）。次いで、該読み出されたレイアウト指定操作履歴に適合する表示レイアウトにレイアウトを再配置する（ステップＳ１３０９）。
上述のようなリモートコントローラでは、ユーザ毎に異なる表示レイアウトの履歴が各別にレイアウト指定操作履歴保持手段に履歴として保持され、この履歴に依拠して自動的に設定される表示レイアウトは各ユーザ毎の意識に良く合致したものとなる。
【０１１３】
一方、ユーザ毎に異なる表示レイアウトの履歴を各別に履歴データとしてとして保持し、この履歴に依拠して表示レイアウトを自動的に再設定する機能は、映像表示装置（デジタル放送受信機１００）側で賄うようにシステムを構成することもできる。このようにシステムを構成した場合は、リモートコントローラ２００側に保持した表示レイアウトの履歴を、再レイアウトボタンの押圧操作を俟って読み出し、再レイアウトを実行する必要がなく、表示するコンテンツが変更されたときに、自動的に再レイアウトを実行するように構成することが可能になる。
【０１１４】
以上の説明において、表示レイアウトの指定のためのレイアウト指定操作は、その一例として、タッチパネル３１９上でユーザの指やスタイラスペン等でタッチして選択したコンテンツをターゲットマーク３５１（領域表示表象「ア」〜「オ」）へとドラッグアンドドロップする操作によって行う場合について詳述した。
レイアウト指定操作は、このようなドラッグアンドドロップする操作に依らない他の方法を採ることも可能である。
【０１１５】
例えば、リモートコントローラ２００における図３（ｂ）タッチパネル３１９上で、ターゲットマーク３５１〜３５５（領域表示表象「ア」「イ」「ウ」「エ」「オ」）に対し、フォーカスを各一対の上下ボタン３１４および左右ボタン３１５で移動させることによって合わせ、一のターゲットマークとしての例えば３５１（領域表示表象「ア」）がフォーカスされることによって表示色が変わったり点滅したりしている状態に到らしめ、この状他にあるときに、そのターゲットマーク３５１（領域表示表象「ア」）にレイアウトを指定するコンテンツ（番組）をダイレクト選局ボタン３１２で指定するといった方法を採ることもできる。
【０１１６】
マルチ画面表示における各表示領域への表示コンテンツの割当ては、既述の図５〜図８フローチャートに準じて設定することができる。
レイアウト指定操作の更に他の例としては、リモートコントローラ２００における図３（ｂ）タッチパネル３１９上で、ターゲットマーク３５１〜３５５（領域表示表象「ア」「イ」「ウ」「エ」「オ」）の何れか一のものを指またはスタイラスペンでクリックして特定して、該特定された領域表示表象の表示色が変わったり点滅したりしている状態に到らしめ、次いで、コンテンツメニューアイコン「ｃｈ１」「ｃｈ２」「ｃｈ３」「ｃｈ４」「ｃｈ５」の中から何れか一のものを指またはスタイラスペンでクリックして特定して表示領域とコンテンツとを対応付けるといった方法を採ることもできる。
【０１１７】
この方法の場合においても、マルチ画面表示における各表示領域への表示コンテンツの割当ては、既述の図５〜図８フローチャートに準じて設定することができる。
本発明は、図１の映像表示装置としての例えばデジタル放送受信機１００とこれに対応する例えば図２および図３を参照して説明したリモートコントローラ２００とを含む映像表示システムを一つの実施の形態とするものである。
このような映像表示システムでは、リモートコントローラのタッチパネル上で、メニュー表示から選択したコンテンツを一の領域表示表象に対応付ける例えばドラッグアンドドロップするなどの直感的でわかり易いレイアウト指定操作に対応して、映像表示装置の表示画面におけるコンテンツの表示レイアウトが設定される。
【図面の簡単な説明】
【０１１８】
【図１】本発明の一つの実施の形態としての映像表示システムを表す図である。
【図２】図１のシステムにおけるリモートコントローラの内部構成を示すブロック図である。
【図３】図２のリモートコントローラの外観および機能を表す図である。
【図４】図１のデジタル放送受信機の表示器の表示画面における種々の表示モードでの表示領域のレイアウトを例示する図である。
【図５】タッチパネル上でレイアウト指定操作を行う場合の図３のリモートコントローラの動作の一例を表すフローチャートである。
【図６】タッチパネル上でレイアウト指定操作を行う場合の図３のリモートコントローラの動作の他の例を表すフローチャートである。
【図７】タッチパネル上でレイアウト指定操作を行う場合の図３のリモートコントローラの動作の更に他の例を表すフローチャートである。
【図８】タッチパネル上でレイアウト指定操作を行う場合の図３のリモートコントローラの動作の更に他の例を表すフローチャートである。
【図９】図３のリモートコントローラタッチパネル３１９上で、選択したコンテンツを表す一の表示候補表象を、選択した一の領域表示表象に対応付けるレイアウト指定操作の様子を表す図である。
【図１０】本発明の他の実施の形態について説明するための図である。
【図１１】図１０を参照して説明した機能に係る処理をより一般化したフローチャートである。
【図１２】本発明の他の実施の形態について説明するための図である。
【図１３】図１２を参照して説明した機能に係る処理をより一般化したフローチャートである。
【符号の説明】
【０１１９】
１０…映像表示システム  １００…デジタル放送受信機（映像表示装置）  １２０…第１チューナ部  １２０ａ…第２チューナ部  １３０…第１デコーダ部    １３０ａ…第２デコーダ部  １４１…加算器  １４２…映像処理部  １４３…音声処理部  １４４…映像出力部  １４５…音声出力部  １５０…システムコントローラ  １５１…ＯＳＤ部  １５２…リモートコントロール信号受信部  １５３…リモートコントロール信号デコード部  １５５…メモリ  １５６…操作部  １６０…表示器  １６１…スピーカ  １７０…第１解像度変換部  １７０ａ…第２解像度変換部  １７２…第３解像度変換部  １７３…第３ＡＶデコーダ部  １８０…外部接続機器  １８５…専用バス  １９０…コンテンツ情報送信部
２００…リモートコントローラ  ２１０…システムコントローラ  ２２０…操作部  ２３０…信号送出部  ２４０…メモリ  ２５０…タッチパネル  ２６０…信号受信部  ３１１…メニュー表示ボタン  ３１２…ダイレクト選局ボタン  ３１３…ユーザ切替えボタン  ３１４…上下ボタン  ３１５…左右ボタン  ３１６…決定ボタン  ３１７…アップ／ダウンボタン（ボリューム）  ３１８…アップ／ダウンボタン（チャンネル）  ３１９…タッチパネル  ３２０…記憶ボタン  ３２１…再レイアウトボタン  ３５０…スクリーンアイコン  ３５１〜３５５…ターゲットマーク（領域表示表象）  ３５６〜３５８…コンテンツソースアイコン  ３５９，３６０…上下操作領域  ３６１…表示候補表象（コンテンツメニューアイコン）
【図１】
2008258894.tif 000003
【図２】
2008258894.tif 000004
【図３】
2008258894.tif 000005
【図４】
2008258894.tif 000006
【図５】
2008258894.tif 000007
【図６】
2008258894.tif 000008
【図７】
2008258894.tif 000009
【図８】
2008258894.tif 000010
【図９】
2008258894.tif 000011
【図１０】
2008258894.tif 000012
【図１１】
2008258894.tif 000013
【図１２】
2008258894.tif 000014
【図１３】
2008258894.tif 000015